(57)【要約】【課題】手間無く、充電箇所の存在を知らせることができる充電表示装置を提供すること。【解決手段】収容スペース１１１内に遮断器１２０を着脱するスイッチギヤ本体１１０に設置する充電表示装置１０であって、収容スペース側に向かって突出して充電箇所の存在を報知する文字情報を表示する表示板２１と、該表示板を収容スペース側からの離脱位置に保持する保持部材３１と、遮断器の引き出し時に保持部材を牽引して表示板の保持状態を解消する牽引部材４１と、を備える。その表示板を離脱位置に再度保持することを特定者のみに許可する表示解除装置５１を備えてもよい。【選択図】図６
2013190393.tif 000002
【特許請求の範囲】
【請求項１】
装置本体に着脱して電気的に接続または遮断する連携装置と共に当該装置本体に設置される充電表示装置であって、
前記装置本体側に設置されて前記連携装置の装着位置に向かって突出して充電箇所の存在を報知する情報を表示する表示部材と、該表示部材を前記連携装置の装着位置から離脱させた位置に保持する保持部材と、前記連携装置と前記保持部材の双方に連結されて前記装置本体から取り外す該連携装置の移動に伴って該保持部材を牽引し当該保持部材の前記表示部材の保持状態を解消する牽引部材と、を備えることを特徴とする充電表示装置。
【請求項２】
前記連携装置の前記装置本体からの取り外し期間中に、前記表示部材を前記連携装置の装着位置から離脱させた位置に保持することを特定者のみに許可する認証保持装置を備えることを特徴とする請求項１に記載の充電表示装置。
【発明の詳細な説明】
【技術分野】
【０００１】
本発明は、充電表示装置に関し、詳しくは、着脱時に露出する充電箇所の存在を確実に認識させるものに関する。
【背景技術】
【０００２】
各種電気機器装置には、装置本体に連携装置を着脱することにより接続端子同士を電気的に接続・遮断するなどして利用するものがあり、例えば、装置本体に準備されている装着空間内から連携装置を引き出して定期的に交換等するシステムに構築されているものがある。この場合には、装置本体から連携装置を外した際には、接続端子が装着空間内で露出する状態にあり、電圧が印加されたまま作業員の触れる可能性のある充電箇所が存在することになる。
【０００３】
この充電箇所の存在は、感電事故の要因になることから、「作業中」や「充電注意」などの札を表示するなどして注意を喚起することが行われている。このような札などよりも目立つように、各種充電表示装置が提案されており、例えば、充電箇所における電界（静電誘導）を利用して、液晶表示により注意を喚起する文字等を表示することが提案されている（例えば、特許文献１〜３）。
【先行技術文献】
【特許文献】
【０００４】
【特許文献１】実開平６−６９８５７号公報
【特許文献２】実開平７−２９７７号公報
【特許文献３】特許第３０７０３５１号公報
【発明の概要】
【発明が解決しようとする課題】
【０００５】
しかしながら、このような充電表示装置にあっては、札等を該当箇所に設置する作業が必要であり、面倒であることから省略されてしまう可能性がある。そうなると、他の作業者は、気が付かずに充電箇所に触れてしまい、感電事故を引き起こす可能性が高くなってしまう。
このため、充電箇所が存在する可能性がある場合には検電器で確認をすることが奨励・義務付けられている場合もある。しかし、これもまた面倒であることから、省略してしまう可能性がある。
そこで、本発明は、手間無く、充電箇所の存在を知らせることができる充電表示装置を提供することを目的としている。
【課題を解決するための手段】
【０００６】
上記課題を解決する充電表示装置の発明の一態様は、装置本体に着脱して電気的に接続または遮断する連携装置と共に当該装置本体に設置される充電表示装置であって、前記装置本体側に設置されて前記連携装置の装着位置に向かって突出して充電箇所の存在を報知する情報を表示する表示部材と、該表示部材を前記連携装置の装着位置から離脱させた位置に保持する保持部材と、前記連携装置と前記保持部材の双方に連結されて前記装置本体から取り外す該連携装置の移動に伴って該保持部材を牽引し当該保持部材の前記表示部材の保持状態を解消する牽引部材と、を備えることを特徴とするものである。
【発明の効果】
【０００７】
このように本発明の一態様によれば、装置本体から連携装置を外す際には、その連携装置の移動と共に牽引部材により保持部材が牽引され、保持されている表示部材を解放（保持解消）させることができる。その表示部材は、装置本体における連携装置の装着位置に向かって突出することができ、装置本体側における連携装置の装着位置に位置して充電箇所が存在する情報を表示し報知することができる。
【０００８】
したがって、連携装置を装置本体から取り外す作業と一緒に（同時に）、連携装置を接続する装置本体側の露出する接続端子が充電状態である可能性があることを報知する作業環境にすることができ、その場所で作業する者に充電箇所の存在を認識させた状態で作業に入らせることができる。この結果、その接続端子の充電の有無を検電器で確認するなどして感電事故を起こしてしまうことを未然に防止することができる。
【図面の簡単な説明】
【０００９】
【図１】本発明に係る充電表示装置の一実施形態を示す図であり、その全体構成を示す正面図である。
【図２】その設置場所を示す透視概念側面図である。
【図３】その要部部品を示す図であり、（ａ）はその待機時の正面図、（ｂ）はその待機時の側面図、（ｃ）はその機能時の正面図、（ｄ）はその要部構成を示す一部拡大側面図である。
【図４】その機能時における状態を示す正面図である。
【図５】その要部部品を示す図であり、（ａ）はその斜視図、（ｂ）はその上面図、（ｃ）はその正面図、（ｄ）はその側面図である。
【図６】その機能時の状態を示す斜視図である。
【図７】その要部部品を示す図であり、（ａ）はその正面図、（ｂ）はその左側面図、（ｃ）はその右側面図、（ｄ）はその上面図である。
【図８】その機能時における状態を示す正面図である。
【発明を実施するための形態】
【００１０】
本発明の実施形態の一態様としては、上記の課題解決手段の一態様を基本構成とするのに加えて、次の構成を備えてもよい。
この他の態様としては、前記連携装置の前記装置本体からの取り外し期間中に、前記表示部材を前記連携装置の装着位置から離脱させた位置に保持することを特定者のみに許可する認証保持装置を備えていてもよい。
【００１１】
この態様では、表示部材が邪魔になるために連携装置の装着位置から離脱させる際には、例えば、特定者が所持する鍵やパスワードの入力等が必要な認証保持装置により表示部材を保持させる必要がある。このため、その特定者が安全を確保できることを確認した場合に限って、連携装置の装着位置での表示部材による表示状態を解消することができる。したがって、作業員が勝手に表示部材を表示解消位置に保持させてしまうことを禁止することができ、安全を確保することができる。
【００１２】
以下、図面を参照して、本発明の実施形態について詳細に説明する。図１〜図８は本発明に係る充電表示装置の一実施形態を示す図である。
図１において、充電表示装置１０は、装置本体から連携装置を装着位置から引き出してメンテナンス等をするように作製されている本体装置に設置するものであり、例えば、図２に示すスイッチギヤ建屋１００の背面扉１０１内のスイッチギヤ本体（装置本体）１１０に設置されている。なお、図２中の１０２は正面扉である。
【００１３】
スイッチギヤ本体１１０は、背面扉１０１内の上下２箇所に収容スペース（装着位置）１１１が準備されており、それぞれ遮断器（連携装置）１２０を着脱可能に収容して前面位置を一致させることができる空間が確保されている。この収容スペース１１１には、背面側から正面側（図２における左右方向）に向かって延在するレール１１３がそれぞれ下面側に準備されており、収容する装置などを容易にスライド等させて着脱させることができるようになっている。
遮断器１２０は、下部の４隅に車輪１２１が転動自在に配設されており、収容スペース１１１のレール１１３上で車輪１２１を転動案内させることによりスムーズに出し入れすることができるようになっている。
【００１４】
スイッチギヤ本体１１０は、収容スペース１１１の内側に、３相の電源ライン１１４から分岐されている接続端子１１５がそれぞれ準備されている。遮断器１２０は、その接続端子１１４に、背面側に準備されている接続端子１２４（上側のみ図示）を着脱することにより、導通接続させて閉回路を構成し、または、その導通接続（閉回路）を遮断することができるようになっている。
この構造により、スイッチギヤ本体１１０は、遮断器１２０を収容スペース１１１から引き出した状態では、その収容スペース１１１内の接続端子（充電箇所）１１４が充電状態のまま露出する場合がある。このことから、その収容スペース１１１内に入って作業する場合には検電器で充電の有無を確認してから作業するように指導されている。
【００１５】
これに対して、充電表示装置１０は、設置盤１１と、表示板（表示部材）２１と、保持部材３１と、牽引部材４１と、表示解除装置（認証保持装置）５１と、を備えて構築されている。
設置盤１１は、スイッチギヤ本体１１０の背面パネル１１２における収容スペース１１１の上部に設置されており、その下端辺１１ａが収容スペース１１１の上端辺１１１ａに接近する位置関係になるように取り付けられている（図６を参照）。この設置盤１１は、下端辺１１ａ側に表示板２１を回動自在に支持する一対の軸受部材１２が一体形成されており、上端辺１１ｂ側には保持部材３１を着脱自在に取り付ける一対の部材受け部材１３が一体形成されている。
【００１６】
表示板２１は、図３（ａ）〜図３（ｃ）に示すように、表示部２２と、連結支持部２３と、回動支点軸２４と、を備えて構築されている。
表示部２２は、必要な文字情報を表示可能な面積を有する寸法形状に形成されている。この表示部２２は、回動支点軸２４と平行なヒンジ部２２ａにより２つ折りにできるようになっている。この表示部２２には、２つ折りにした内面２２Ａ側に「充電有」と「盤内作業禁止」という文字情報が表示されている。なお、表示部２２は、本実施形態では円形に形成されているが、これに限るわけではなく、楕円形や多角形などの他の異形形状に形成してもよい。
【００１７】
連結支持部２３は、回動支点軸２４と共に表示部２２と一体に形成されている。この連結支持部２３は、その表示部２２の周縁からヒンジ部２２ａに対して直交する姿勢のまま離隔方向に延長されている。回動支点軸２４は、連結支持部２３の延長端辺２３ａでヒンジ部２２ａと平行となる姿勢に形成されており、両端部２４ａがその連結支持部２３の側辺２３ｂから外方に突出している。
【００１８】
この回動支点軸２４の両端部２４ａは、図３（ｄ）に示すように、設置盤１１前面からリブ形状に立設されている一対の軸受部材１２の軸受穴１２ａ内に差し込まれており、表示板２１（表示部２２、連結支持部２３）を回動自在に支持するようになっている。
これにより、表示板２１は、回動支点軸２４を中心にして軸受部材１２に回動自在に支持されて、連結支持部２３を上方に向かうように立てた状態にしたときには、表示部２２をヒンジ部２２ａで２つ折りした状態で支持される。この表示板２１は、図４に示すように、回動支点軸２４を中心にして連結支持部２３を下方に吊り下げた状態にしたときには、ヒンジ部２２ａで２つ折りした表示部２２が開いて、内面２２Ａ側の「充電有」と「盤内作業禁止」という文字情報を見える状態に表示することができる。
【００１９】
保持部材３１は、図５（ａ）〜図５（ｃ）に示すように、本体部３２と、係止部３３と、を備えて構築されており、弾性変形可能な樹脂材料により作製されている。
本体部３２は、表示板２１の連結支持部２３を横断する形態で収容可能な空間を形成して、その背面側を解放する形状に形成されている。係止部３３は、その本体部３２の両端側端辺３２ａから表示板２１の連結支持部２３の背面側と平行に外方に延長される形状に形成されている。
【００２０】
これに対して、設置盤１１の一対の部材受け部材１３は、図５（ｄ）に示すように、表示板２１を立てた状態にしたときの連結支持部２３の両側辺２３ｂの脇で対面するリブ形状に立設されている。この部材受け部材１３は、その内方に、保持部材３１の係止部３３を差込可能な係止穴１３ａが開口されている。
これにより、保持部材３１は、表示部２２を２つ折りにして内面２２Ａの文字情報を内側にしたまま連結支持部２３を本体部３２内に収容する状態にして、両端側の係止部３３をそれぞれ部材受け部材１３の係止穴１３ａ内に差し込んで係止させることができる。この保持部材３１は、係止部３３を部材受け部材１３の係止穴１３ａから離脱させない限り、文字情報を表示していない状態に表示板２１を保持することができる。
【００２１】
牽引部材４１は、図５（ａ）〜図５（ｄ）に示すように、線状部材４２と、リング部材４３と、を備えて構築されている。
線状部材４２は、保持部材３１の本体部３２に一端側が連結されており、保持部材３１を牽引したときに、その係止部３３を設置盤１１の部材受け部材１３の係止穴１３ａから離脱させるほど本体部３２を変形させる強度以上の、例えば、ワイヤ材料により作製されている。
【００２２】
リング部材４３は、線状部材４２の他端側に連結されており、例えば、スイッチギヤ本体１１０の収容スペース１１１内に着脱する遮断器１２０の前面パネル１２２をネジ止めするネジ１２３のネジ部１２３ａを差込可能でそのヘッド部１２３ｂが抜けてしまうことがない寸法の内径を有するように形成されている。
これにより、牽引部材４１は、リング部材４３が移動する方向に線状部材４２を介して保持部材３１の本体部３２を牽引することができる。
【００２３】
したがって、充電表示装置１０は、図６に示すように、スイッチギヤ本体１１０の背面パネル１１２に設置されている設置盤１１側の保持部材３１と、スイッチギヤ本体１１０の収容スペース１１１内にセッティングされている遮断器１２０の前面パネル１２２をネジ止めするネジ１２３と、の間を牽引部材４１が連結する状態のまま待機する。この状態から、牽引部材４１は、その遮断器１２０をスイッチギヤ本体１１０の収容スペース１１１内から引き出す際に、線状部材４２を介して保持部材３１の本体部３２を設置盤１１から離隔する方向に牽引する。このため、牽引部材４１は、設置盤１１の部材受け部材１３から係止部３３を離脱させる（係止状態を解除させる）程度に保持部材３１を変形させることができる。その保持部材３１の部材受け部材１３からの離脱により被保持状態が解消された表示板２１は、回動支点軸２４を中心にして連結支持部２３を下方に吊り下げた状態になるように回動する。
【００２４】
このとき、スイッチギヤ本体１１０の収容スペース１１１から遮断器１２０を引き出したときには、電源ライン１１４に分岐導通する接続端子１１５が露出して充電状態になっている場合がある。しかしながら、この充電表示装置１０は、表示板２１がヒンジ部２２ａで２つ折りした状態の表示部２２を開かせつつその収容スペース１１１の入口内に突出させて、内面２２Ａ側の「充電有」と「盤内作業禁止」という文字情報を見える表示状態にし報知することができる。この結果、作業員が収容スペース１１１に入って作業する場合には、必ず、検電器で充電の有無を確認してから作業するように促すことができ、気の緩みで失念してしまうことを回避することができる。
【００２５】
また、表示解除装置５１は、設置盤１１内の表示板２１（連結支持部２３）に隣接する位置に取り付けられており、図７（ａ）〜図７（ｄ）に示すように、保持表示部５２と、連結支持部５３と、回動鍵部５４と、文字遮蔽部５５と、を備えて構築されている。
保持表示部５２は、表示部２２と同様に、必要な文字情報を表示可能な面積を有する寸法形状に形成されており、表面５２Ａ側に「作業ＯＫ」という文字情報が表示されている。なお、保持表示部５２は、本実施形態では四角形に形成されているが、これに限るものではなく、円形や楕円形あるいは多角形などの他の異形形状に形成してもよい。
【００２６】
連結支持部５３は、回動鍵部５４から延長されて保持表示部５２の一端辺に直交する形態で、その保持表示部５２および回動鍵部５４が連続する一体形状になるように形成されている。この連結支持部５３および回動鍵部５４は、後述するように保持表示部５２を横にする状態にしたときに、保持部材３１と同様に、表示板２１の連結支持部２３を跨ぐように位置させるようになっている。これら保持表示部５２、連結支持部５３および回動鍵部５４は、表示板２１の回動支点軸２４を中心とする回動を制限する状態に保持可能な強度を有するように作製されている。
【００２７】
回動鍵部５４は、保持表示部５２および連結支持部５３との相対的な姿勢を維持したまま、少なくとも、立っている状態と横になる状態との間を往復回転可能に設置盤１１に設置されている。この回動鍵部５４は、鍵穴５４ａ内に予め準備されている不図示の鍵を挿した状態にすることにより、正逆回動することを許容し、その鍵が挿されない限り、回動することを制限するようになっている。
【００２８】
文字遮蔽部５５は、少なくとも立っている状態の保持表示部５２を内部に収容して文字情報が見えないように遮蔽する面積形状の本体部５５ａを備えている。この本体部５５ａは、設置盤１１の表面から浮いた状態の保持表示部５２に非接触対面するように支持リブ５５ｂが支持しており、この支持リブ５５ｂは、保持表示部５２が反時計回り方向に向かって回動することを制限しないように本体部５５ｂを片持ち支持している。
これにより、表示解除装置５１は、図８に示すように、鍵を所持する者が回動鍵部５４の鍵穴５４ａにその鍵を挿して保持表示部５２などを回転させて、文字遮蔽部５５から露出させるとともに、立てた状態にした表示板２１を保持することができるようになっている。
【００２９】
したがって、充電表示装置１０は、例えば、鍵を所持する監督者（特定者）のみが表示解除装置５１を操作することができる。具体的には、監督者がスイッチギヤ本体１１０の収容スペース１１１に入って露出する接続端子１１５が充電状態になっていないことを検電器で確認した場合に表示解除装置５１を操作することを許可する。このため、監督者は、収容スペース１１１内での作業における安全が確認された場合にのみ、図６に示すように、その収容スペース１１１内に突出する状態から表示板２１を立てた状態にして表示解除装置５１の保持表示部５２に保持させることができる。この結果、その保持表示部５２の「作業ＯＫ」の文字情報を確認して収容スペース１１１内に入って安全に作業することができる。
【００３０】
このように本実施形態においては、スイッチギヤ本体１１０から遮断器１２０を引き出すのと同時に、表示板２１の表示部２２を開いた状態にして収容スペース１１１側に突出する状態にすることができ、「充電有」などの文字情報の表示により注意を喚起することができる。この後に、検電器などにより充電箇所の解消を確認できたときには、監督者が鍵で表示解除装置５１を操作して表示板２１を立てた状態に保持することにより、収容スペース１１１側での表示を解消することができる。この表示の解消は、鍵の所持の有無により監督者のみに許可することができ、作業員が面倒なために注意を促すだけで表示板２１を立てた状態に保持してしまう不安全行為などを禁止することができる。したがって、手間無く、充電箇所の存在を知らせるとともに安全を確保することができる。
【００３１】
本実施形態の他の態様としては、特に図示することは省略するが、本実施形態では引き出すタイプの遮断器１２０に設置する場合を一例にして説明するが、これに限る必要はなく、例えば、側方にスライドさせるなどの状態変化が伴う連携装置に設置することができる。
また、自重で回動する表示板２１を設置する場合を一例にして説明するがこれに限る必要はなく、例えば、バネなどの弾性力を利用して上方や側方に回動させるようにしてもよい。この表示部２２は、２つ折りにしなくてもよく、また、巻物にして表示タイミングに下方に牽引するなどして開くようにしてもよい。
さらに、保持部材３１は、両端部の係止部３３を部材受け部材１３の係止穴１３ａ内に差し込んでセットする構成を採用するがこれに限らず、例えば、両端部に磁石を貼付して磁力により所望の位置にセットできるようにしてもよい。表示解除装置５１は、鍵を利用して回動の可否を判断しているが、これに限らず、例えば、パスワードの入力を要求するようにしてもよい。
【００３２】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００３３】
これまで本発明の一実施形態について説明したが、本発明は上述の実施形態に限定されず、その技術的思想の範囲内において種々異なる形態にて実施されてよいことは言うまでもない。
【符号の説明】
【００３４】
１０    充電表示装置
１１    設置盤
１２    軸受部材
１３    部材受け部材
２１    表示板
２２    表示部
２２ａ  ヒンジ部
２３    連結支持部
２４    回動支点軸
３１    保持部材
３３    係止部
４１    牽引部材
４２    線状部材
４３    リング部材
５１    表示解除装置
５２    保持表示部
５４    回動鍵部
５５    文字遮蔽部
１１０  スイッチギヤ本体
１１１  収容スペース
１１３  レール
１１３  電源ライン
１１４、１１５、１２４  接続端子
１２０  遮断器
１２１  車輪
１２２  前面パネル
１２３  ネジ
【図１】
2013190393.tif 000003
【図２】
2013190393.tif 000004
【図３】
2013190393.tif 000005
【図４】
2013190393.tif 000006
【図５】
2013190393.tif 000007
【図６】
2013190393.tif 000008
【図７】
2013190393.tif 000009
【図８】
2013190393.tif 000010